【手続補正書】
【提出日】平成17年3月22日(2005.3.22)
【手続補正１】
【補正対象書類名】特許請求の範囲
【補正対象項目名】全文
【補正方法】変更
【補正の内容】
【特許請求の範囲】
【請求項１】
電池パックと、該電池パックが着脱自在に接続される装置本体とからなる情報処理装置において、
前記電池パックは、
少なくとも１つがスイッチと直列に接続される複数の電池が各々並列に接続されてなり、
前記スイッチと前記電池との間に接続され、前記電池の電圧を取り出す電圧検出端子と、
前記電圧検出端子と該電圧検出端子に接続される電池の各々との間に配置され、該電圧検出端子と接続される電池を選択する選択回路と、
前記スイッチのいずれか一つをオフし、該オフされたスイッチに接続された電池を選択するよう前記選択回路を制御する制御回路と、を有し、
前記装置本体は、
前記電池パックから供給される電力にて動作する負荷と、
状態検出要求信号を前記電池パックの制御回路に出力し、該状態検出要求信号に応答して前記電圧検出端子に接続された電池の状態を検出する電源制御部と、を有する
ことを特徴とする情報処理装置。
【請求項２】
前記電源制御部は、前記状態検出要求信号を出力し、前記複数の電池の各状態を検出することを特徴とする請求項１に記載の情報処理装置。
【請求項３】
電池パックと、該電池パックが着脱自在に接続される装置本体とからなる情報処理装置において、
前記電池パックは、
少なくとも１つがスイッチと直列に接続される複数の電池が各々並列に接続されてなり、
前記電池の電圧を取り出す電圧検出端子と、
前記スイッチは前記電池を負荷か前記電圧検出端子のいずれかに接続するものであり、該スイッチを操作する制御回路と、を有し、
前記装置本体は、
前記電池パックから供給される電力にて動作する負荷と、
状態検出要求信号を前記電池パックの制御回路に出力し、該状態検出要求信号に応答して前記電圧検出端子に接続された電池の状態を検出する電源制御部と、を有する
ことを特徴とする情報処理装置。
【請求項４】
前記電源制御部は、前記状態検出要求信号を出力し、前記複数の電池の各状態を検出することを特徴とする請求項３に記載の情報処理装置。
【請求項５】
電池パックと、該電池パックが着脱自在に接続される装置本体とからなる情報処理装置において、
前記電池パックは、
少なくとも１つが可変抵抗と直列に接続される複数の電池が各々並列に接続されてなり、
前記可変抵抗と前記電池との間に接続され、前記電池の電圧を取り出す電圧検出端子と、
前記電圧検出端子と該電圧検出端子を共有する電池の各々との間に配置され、該電圧検出端子と接続される電池を選択する選択回路と、
前記可変抵抗の抵抗値を制御して前記可変抵抗のいずれか一つの抵抗値を他の可変抵抗の抵抗値よりも大きくし、該抵抗値の大きい可変抵抗を選択するよう前記選択回路を制御する制御回路と、を有し、
前記装置本体は、
前記電池パックから供給される電力にて動作する負荷と、
状態検出要求信号を前記電池パックの制御回路に出力し、該状態検出要求信号に応答して前記電圧検出端子に接続された電池の状態を検出する電源制御部と、を有する
ことを特徴とする情報処理装置。
【手続補正２】
【補正対象書類名】明細書
【補正対象項目名】発明の名称
【補正方法】変更
【補正の内容】
【発明の名称】情報処理装置
【手続補正３】
【補正対象書類名】明細書
【補正対象項目名】０００９
【補正方法】変更
【補正の内容】
【０００９】
上記課題を解決するため、請求項１に記載されるように、電池パックと、該電池パックが着脱自在に接続される装置本体とからなる情報処理装置において、前記電池パックが、少なくとも１つがスイッチと直列に接続される複数の電池が各々並列に接続されてなり、前記スイッチと前記電池との間に接続され、前記電池の電圧を取り出す電圧検出端子と、前記電圧検出端子と該電圧検出端子に接続される電池の各々との間に配置され、該電圧検出端子と接続される電池を選択する選択回路と、前記スイッチのいずれか一つをオフし、該オフされたスイッチに接続された電池を選択するよう前記選択回路を制御する制御回路と、を有するよう構成し、前記装置本体が、前記電池パックから供給される電力にて動作する負荷と、状態検出要求信号を前記電池パックの制御回路に出力し、該状態検出要求信号に応答して前記電圧検出端子に接続された電池の状態を検出する電源制御部と、を有するよう構成する。これにより、複数の電池のうち特定の電池のみの開放電圧を検出することができる。
【手続補正４】
【補正対象書類名】明細書
【補正対象項目名】００１０
【補正方法】変更
【補正の内容】
【００１０】
また、上記課題を解決するため、請求項３に記載されるように、電池パックと、該電池パックが着脱自在に接続される装置本体とからなる情報処理装置において、前記電池パックが、少なくとも１つがスイッチと直列に接続される複数の電池が各々並列に接続されてなり、前記電池の電圧を取り出す電圧検出端子と、前記スイッチは前記電池を負荷か前記電圧検出端子のいずれかに接続するものであり、該スイッチを操作する制御回路と、を有するよう構成し、前記装置本体が、前記電池パックから供給される電力にて動作する負荷と、状態検出要求信号を前記電池パックの制御回路に出力し、該状態検出要求信号に応答して前記電圧検出端子に接続された電池の状態を検出する電源制御部と、を有するよう構成する。これにより、電池と負荷とを断続するスイッチと電池と電圧検出端子とを断続するスイッチとが１つにまとまり、スイッチ数を削減しつつ、複数の電池のうち特定の電池のみの開放電圧を検出することができる。
【手続補正５】
【補正対象書類名】明細書
【補正対象項目名】００１１
【補正方法】変更
【補正の内容】
【００１１】
また、上記課題を解決するため、請求項５に記載されるように、電池パックと、該電池パックが着脱自在に接続される装置本体とからなる情報処理装置において、前記電池パックが、少なくとも１つが可変抵抗と直列に接続される複数の電池が各々並列に接続されてなり、前記可変抵抗と前記電池との間に接続され、前記電池の電圧を取り出す電圧検出端子と、前記電圧検出端子と該電圧検出端子を共有する電池の各々との間に配置され、該電圧検出端子と接続される電池を選択する選択回路と、前記可変抵抗の抵抗値を制御して前記可変抵抗のいずれか一つの抵抗値を他の可変抵抗の抵抗値よりも大きくし、該抵抗値の大きい可変抵抗を選択するよう前記選択回路を制御する制御回路と、を有するよう構成し、前記装置本体が、前記電池パックから供給される電力にて動作する負荷と、状態検出要求信号を前記電池パックの制御回路に出力し、該状態検出要求信号に応答して前記電圧検出端子に接続された電池の状態を検出する電源制御部と、を有するよう構成する。これにより、可変抵抗を制御することにより、複数の電池のうち特定の電池について開放電圧とほぼ等しい電圧を検出することができる。
【手続補正６】
【補正対象書類名】明細書
【補正対象項目名】００１２
【補正方法】変更
【補正の内容】
【００１２】
請求項２および請求項４では、前記電源制御部が、前記状態検出要求信号を出力し、前記複数の電池の各状態を検出するよう構成する。これにより、電池パック内の各電池の状態を個々に検出することができる。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】変更
【補正の内容】
【００３０】
以上、本発明では、組電池内の電池を個別に負荷から切り離す構成を持たせたことにより、組電池の状態を負荷電流の変動の影響を受けず、高い精度をもって検出できる。